(57)【要約】    【課題】メリハリのある送風演出を行なうことができるようにする。    【解決手段】  遊技機本体の前面上部に、送風手段５３からの風を送風経路５４を経て遊技者側へと送風する送風演出手段１２を配置する。送風演出手段１２は送風経路５４を開閉する開閉手段５５と、送風演出条件の成立を契機に送風手段５３の作動中に、開閉手段５５の開動作と閉動作の内、少なくともその一方の動作をさせる制御手段１００とを備える。制御手段１００は送風手段５３の作動中に開閉手段５５を開閉させるのが望ましい。【選択図】図５
2015159830.tif 000002
【特許請求の範囲】
【請求項１】
送風手段からの風を送風経路を経て遊技者側へと送風する送風演出手段を備えた遊技機において、
前記送風演出手段は、
前記送風経路を開閉する開閉手段と、
送風演出条件の成立を契機に前記送風手段の作動中に、前記開閉手段の開動作と閉動作の内、少なくともその一方の動作をさせる制御手段とを備えた
ことを特徴とする遊技機。
【請求項２】
前記制御手段は前記送風手段の作動中に前記開閉手段を開閉させる
ことを特徴とする請求項１に記載の遊技機。
【請求項３】
前記開閉手段は常閉式である
ことを特徴とする請求項２に記載の遊技機。
【発明の詳細な説明】
【技術分野】
【０００１】
本発明は、パチンコ機、アレンジボール機、スロットマシン等の遊技機に関するものである。
【背景技術】
【０００２】
近時のスロットマシン等の遊技機では、遊技機本体の前面上部側等の適当箇所に送風演出手段を配置して、この送風演出手段から遊技者に対して送風する送風演出を採用したものがある（特許文献１）。
【０００３】
この送風演出手段は、遊技機本体の前面側の上部に送風口を配置し、この送風口の内側に風速調整型の送風手段を配置すると共に、この送風手段よりも送風口側に風向調整手段を配置している。そして、遊技中に特定役の抽選に当選したときに、その抽選結果に応じて送風手段の回転数を制御して風速を変化させたり、風向調整手段により風向を変化させたりして、その風速、風向の変化により、特定役の当選の予告演出を行うようにしている。
【先行技術文献】
【特許文献】
【０００４】
【特許文献１】特開２００５−３０４６１０号公報
【発明の概要】
【発明が解決しようとする課題】
【０００５】
この送風演出手段による送風演出は、他のスピーカによる効果音演出、ランプ等の発光手段による発光演出、画像表示手段による画像演出、可動演出体による可動演出等と併用し又は単独で行なわれている。
【０００６】
しかし、従来の送風演出は、送風手段の回転数を制御して風速を変化させたり、風向調整手段により風向を変化させたりしており、送風時の風速、風向の変化が緩やかな連続的なものとなっているため、少ない風量では遊技者が送風演出があった事実を容易に把握し難いという問題がある。しかし、風量を増やせばその把握は容易になるものの、風量の増加によって遊技者に不快感を招かせる惧れが生じる等の問題がある。
【０００７】
本発明は、このような従来の問題点に鑑み、メリハリのある送風演出を行える送風演出手段を備えた遊技機を提供することを目的とする。
【課題を解決するための手段】
【０００８】
本発明は、送風手段からの風を送風経路を経て遊技者側へと送風する送風演出手段を備えた遊技機において、前記送風演出手段は、前記送風経路を開閉する開閉手段と、送風演出条件の成立を契機に前記送風手段の作動中に、前記開閉手段の開動作と閉動作の内、少なくともその一方の動作をさせる制御手段とを備えたものである。
【０００９】
前記制御手段は前記送風手段の作動中に前記開閉手段を開閉させることが望ましい。また前記開閉手段は常閉式であることが望ましい。
【発明の効果】
【００１０】
本発明では、メリハリのある送風演出を行なうことができる。
【図面の簡単な説明】
【００１１】
【図１】本発明の第１の実施形態を示すパチンコ機の正面図である。
【図２】同ガラス扉の背面図である。
【図３】同ガラス扉、遊技盤を含む側面断面図である。
【図４】同送風演出手段の取り付け状態の断面図である。
【図５】同送風演出手段の側面断面図である。
【図６】同送風演出手段の平面断面図である。
【図７】同送風演出手段の側面断面図である。
【図８】同送風演出手段の正面図である。
【図９】同送風演出手段の開閉手段側の正面断面図である。
【図１０】同制御系のブロック図である。
【図１１】同送風演出のフローチャートである。
【図１２】同送風演出のタイムチャートである。
【図１３】本発明の第２の実施形態を示す送風演出手段の平面断面図である。
【図１４】本発明の第３の実施形態を示す送風演出のタイムチャートである。
【図１５】本発明の第４の実施形態を示す送風演出手段の平面断面図である。
【図１６】同正面断面図である。
【図１７】本発明の第５の実施形態を示す送風演出手段の平面断面図である。
【図１８】同開閉手段の正面断面図である。
【発明を実施するための形態】
【００１２】
以下、本発明の各実施形態を図面に基づいて詳述する。
【００１３】
図１〜図１２は本発明をパチンコ機１に採用した第１の実施形態を例示する。パチンコ機１は、図１に示すように、矩形状の外枠２と、この外枠２の前側に装着された前枠３とを備えている。前枠３は左右一端側が上下一対の前枠３用のヒンジ４により外枠２に縦軸廻りに開閉自在に枢支されている。
【００１４】
前枠３は、図３に示すように、上部側に矩形枠状の遊技盤装着部５を備え、その下側に支持板６が設けられている。遊技盤装着部５には遊技盤７が着脱自在に装着され、その遊技盤７の前側にガラス扉（開閉扉）８が、また、ガラス扉８の下側で支持板６の前側に前面扉９が夫々配置されている。
【００１５】
ガラス扉８、前面扉９は、図１に示すように、ヒンジ４と同一軸心を有するヒンジ１０により前枠３に開閉自在に枢着されている。ガラス扉８の上部には中央寄りの左右両側に一対のスピーカ１１が配置され、左右一側に送風演出手段１２が配置されている。
【００１６】
スピーカ１１は遊技中等の必要時に効果音を発生して効果音演出を行うためのものである。送風演出手段１２はガラス扉８の前側上部の左右一側から遊技者の顔面側へと送風して、特別利益状態の発生を送風により予告演出する等の各種の送風演出を行うためのものである。なお、スピーカ１１を外側に、送風演出手段１２をその内側に夫々配置してもよい。
【００１７】
前面扉９の前側には、図１に示すように、発射用の遊技球を貯留する球供給皿１４と、余剰球を貯留する球受け皿１５とが上下に配置され、その側方に遊技球を発射する発射手段１６の発射ハンドル１７が設けられている。発射手段１６は前面扉９の裏側で前枠３の下部に配置された支持板６の前面に配置されている。球供給皿１４の前側にはチャンスボタン１８、回転発光手段１９等が設けられている。
【００１８】
なお、ガラス扉８、前面扉９を上下に一体化して、一つの開閉扉を構成するようにしても良い。また、外枠２、前枠３、ガラス扉８、前面扉９等により遊技機本体が構成されている。
【００１９】
遊技盤７の前面には、図１に示すように、ガイドレール２１と前飾り部材２２とが略円形状の遊技領域２３を取り囲むように配置されている。ガイドレール２１は発射手段１６から発射された遊技球を遊技領域２３の上部側へと案内するようになっている。前飾り部材２２は遊技領域２３の外周側で遊技盤７の前面に装着されており、ヒンジ４，１０と反対側の前面部分から上下両側、又は遊技領域２３の外周の略全周に跨がって配置されている。
【００２０】
遊技領域２３には画像表示手段２４、普通図柄始動手段２５、特別図柄始動手段２６、可変入賞手段２０、普通入賞手段２７、普通図柄表示手段２８、特別図柄表示手段２９等の各種の遊技部品が配置されている。
【００２１】
画像表示手段２４は遊技領域２３の左右方向の略中央の上部に配置され、また、特別図柄始動手段２６、可変入賞手段２０は画像表示手段２４の下側に上下に配置されている。普通図柄始動手段２５は画像表示手段２４とガイドレール２１との間に配置されている。特別図柄始動手段２６は非開閉式入賞口２６ａと開閉式入賞口２６ｂとを有する。普通入賞手段２７は可変入賞手段２０の左右両側に設けられている。
【００２２】
画像表示手段２４は液晶式等の画像表示部３０と、画像表示部３０に対応する表示窓３１を有し且つ遊技盤７の前面に装着された前飾り枠３２とを備えている。前飾り枠３２の上部側の前面に普通図柄表示手段２８と特別図柄表示手段２９とが装着されている。
【００２３】
普通図柄表示手段２８は普通図柄を変動表示するためのもので、複数種類の普通図柄（例えば二種類の「○」「×」）に対応する複数個の発光素子により構成されており、普通図柄始動手段２５が遊技球を検出することを条件に２個の発光素子が交互に点灯するように所定時間点滅して、普通図柄始動手段２５の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。
【００２４】
特別図柄表示手段２９は発光部位の変化等で特別図柄を変動表示可能なセグメント式等により構成されており、特別図柄始動手段２６が遊技球を検出することを条件に、特別図柄が所定時間変動して、特別図柄始動手段２６の遊技球の検出時に抽選された乱数値が予め定められた特別遊技判定値と一致した場合に所定の特別遊技態様で、それ以外の場合に非特別遊技態様で停止するようになっている。
【００２５】
特別図柄始動手段２６の開閉式入賞口２６ｂは、普通図柄表示手段２８の変動後の停止図柄が特定態様となったときに所定時間（短時間）だけ開放するようになっている。可変入賞手段２０は可変入賞口２０ａを開閉する開閉板２０ｂを有し、特別図柄表示手段２９の変動後の特別図柄が特別遊技態様となって特別遊技状態が発生したときに開閉板２０ｂが前側に開放して、上方から落下する遊技球を入賞させるようになっている。
【００２６】
特別遊技状態中は開閉板２０ｂの開放から所定時間（例えば３０秒程度）が経過するか、その間に所定数（例えば１０個）の遊技球が入賞したときに開閉板２０ｂを閉じる動作を１ラウンドとし、この動作を所定回数（例えば１６ラウンド）継続するようになっている。
【００２７】
画像表示部３０は待機中にデモ画像を表示し、遊技中に特別図柄表示手段２９の特別図柄に対応する演出図柄３４ａ〜３４ｃを変動表示する等、必要に応じて適宜タイミングで各種の演出画像を随時表示して画像演出を行うためのものである。即ち、特別図柄表示手段２９の特別図柄の変動に際しては、その特別図柄の変動に同期して１個又は複数個、例えば３個の演出図柄３４ａ〜３４ｃが画像表示部３０に変動表示される。このとき演出図柄３４ａ〜３４ｃは特別図柄始動手段２６の遊技球の検出を条件に、抽選により決定された所定の演出図柄変動パターンを経て所定時間変動した後、特別図柄の変動終了に同期して所定の順序（例えば左、右、中等の順序）で順次停止する。
【００２８】
演出図柄３４ａ〜３４ｃの変動後の停止図柄は、特別図柄が特別遊技態様で停止する場合には全てが揃う特別演出態様となり、特別図柄が非特別遊技態様で停止する場合には少なくとも一部が異なる非特別演出態様となる。
【００２９】
例えば、演出図柄３４ａ〜３４ｃには０〜９までの数字図柄が使用されており、特別図柄が特別遊技態様で停止する場合には演出図柄３４ａ〜３４ｃは「７・７・７」等の特別演出態様で停止し、特別図柄が非特別遊技態様で停止する場合には演出図柄３４ａ〜３４ｃは「２・３・４」等の非特別演出態様で停止する。
【００３０】
画像表示手段２４は変動後の特別図柄が特別遊技態様となる信頼度の高い演出図柄変動パターンを抽選したとき等、遊技者に対して期待感を抱かせる所定の遊技状態、例えば１個の演出図柄３４ｂを除く２個の演出図柄３４ａ，３４ｃが同じとなるリーチとなった場合に、画像表示部３０の所定箇所にチャンスボタン１８の操作を指示する操作指示画像３５を表示する。
【００３１】
そして、例えば特別図柄始動手段２６が遊技球を検出したときに特別遊技を抽選する等、変動後の特別図柄が特別遊技態様となった後に特別遊技状態が発生する信頼度が高い場合には、その操作指示画像３５に従って図柄変動中に適宜タイミングでチャンスボタン１８を操作すれば、チャンスボタン１８が明滅発光し、送風演出手段１２が遊技者の顔面側へと風を送風して、変動後の特別図柄が特別遊技態様となって特別遊技状態が発生する信頼度が高いことを予告するようになっている。
【００３２】
ガラス扉８は図２、図３に示すように、遊技盤７の遊技領域２３に対応する表示窓３１を有する扉主体３７と、この扉主体３７の裏側に固定具３８を介して着脱自在に装着されたガラス板ユニット３９と、扉主体３７の前面に装着された化粧カバー４０とを備え、表示窓３１内のガラス板ユニット３９を介して遊技領域２３を前面から透視するようになっている。
【００３３】
扉主体３７には合成樹脂製であって、外周に前後両側又は前側に突出する外周縁４１を有する。この扉主体３７は裏面側の左右両側部に上下方向に配置された補強部材４２ａ，４２ｂと、裏面側の下部に左右方向に配置された補強部材４３とを備えている。また、扉主体３７には、図２に示すように、上部側の前面にスピーカ１１用の取り付け部４４と送風演出手段１２用の取り付け部４５とが設けられ、その各取り付け部４４，４５にスピーカ１１、送風演出手段１２が夫々取り付けられている。スピーカ１１、送風演出手段１２は扉主体３７の上部裏側に装着された裏カバー３３により裏側から覆われている。
【００３４】
ガラス板ユニット３９は、図２、図３に示すように、所定の間隔を置いて配置された前後２枚のガラス板４６と、この両ガラス板４６を外周側で保持する保持部材４７とを備え、下側の補強部材４３上で係合手段４８を介して補強部材４３に係合し、且つ左右一対の固定具３８により扉主体３７の裏側に着脱自在に装着されている。
【００３５】
下部の補強部材４３はガラス板ユニット３９を受ける受け部４９を有し、また、係合手段４８は補強部材４３に形成された係合部４８ａと、保持部材４７から下側に突出して係合部４８ａに上側から係脱自在に係合する係合突部４８ｂとを有する。保持部材４７の上部側の左右両側には固定突部５０があり、この固定突部５０に対応して扉主体３７の裏側に固定具３８が回動自在に枢支されており、その固定具３８により固定突部５０を扉主体３７側に締結するようになっている。
【００３６】
化粧カバー４０は光透過性を有する合成樹脂製であって、前面側に適宜デザインの凹凸状に形成された装飾部を有し、その装飾部の裏側に、発光ダイオード等の発光体が設けられた発光基板（図示省略）が必要箇所に配置されている。化粧カバー４０の上部には、スピーカ１１に対応して音出し口５１が設けられると共に、送風演出手段１２の前部側が突出する開口５２が設けられている。
【００３７】
送風演出手段１２は遊技者の顔面側へと送風して送風演出を行うためのものであり、図４〜図９に示すように、送風手段５３と、送風手段５３からの風を遊技者側に送風する送風経路５４と、送風経路５４の送風方向に対して略直交する方向（略交差する方向）に出退して送風経路５４を開閉する常閉式の開閉手段５５と、これらを支持する支持体５６とを備え、遊技者の顔面側へと送風すべくガラス扉８の扉主体３７に内側斜め下向きに配置されている。
【００３８】
送風手段５３は、図５〜図７に示すように、例えばシロッコファン等の遠心型ファン５７により構成されており、ファンケース５８と、このファンケース５８内に横軸心廻りに回転自在に配置された羽根車５９と、ファンケース５８内に固定され且つ羽根車５９を横軸心廻りに回転駆動する駆動モータ（駆動源）６０とを有し、羽根車５９の回転により、その内周側の吸い込み口６１からファンケース５８内に外気を吸い込んで、遠心力によりファンケース５８の前面側の排出口６２へと排出するようになっている。
【００３９】
なお、ファンケース５８は一側に吸い込み口６１が設けられ、前面側に排出口６２が設けられている。遠心型ファン５７はシロッコファン以外のターボファンでもよい。
【００４０】
支持体５６は正面視円環状であって、図５、図６に示すように、環状の外周支持部６３と、外周支持部６３の前側に胴部６４を介して設けられた支持壁６５とを有する。外周支持部６３の裏側にはファンケース５８を左右、上下から取り囲む保護壁６７，６８がネジ等により固定され、ファンケース５８はこの保護壁６７，６８内で排出口６２側が支持壁６５の裏側に当接するようにネジ等で固定されている。なお、保護壁６７，６８は左右に二つ割になっており、その各保護壁６７，６８が支持体５６に別々に固定されている。
【００４１】
支持体５６は外周支持部６３及び／又は保護壁６７，６８から後方に突出する複数個の取り付けボス６９を介して、扉主体３７の取り付け部４５にネジ等により着脱自在に固定されている。また、支持壁６５にはファンケース５８の排出口６２に連通する連通口６５ａが略中心部に設けられている。
【００４２】
開閉手段５５は通常閉状態にある常閉式であって、図５〜図９に示すように、支持体５６の支持壁６５の前側に所定の間隔をおいて配置された前カバー７０と、支持壁６５と前カバー７０との間に上下動自在に配置された板状のフラッパー式の開閉部材７１と、ファンケース５８の一側で支持体５６に直接又は保護壁６７を介して固定された駆動源、例えばソレノイド７２と、このソレノイド７２と開閉部材７１とを連動させる連動機構７３とを備えている。
【００４３】
前カバー７０は支持壁６５の連通口６５ａと前後に対応する接続口７０ａを有し、ネジ等の固定具により支持壁６５の前面に装着されている。開閉部材７１は連通口６５ａよりも若干大きい形状の開閉部７１ａを有し、この開閉部７１ａから送風経路５４の外側に離れた端部側で前後方向の枢軸７５により揺動自在に枢支され、連通口６５ａを閉じる閉位置Ａと、この閉位置Ａよりも上側に上昇して連通口６５ａを開ける開位置Ｂとの間で上下方向に昇降自在である。
【００４４】
なお、枢軸７５は開閉部７１ａの閉位置Ａと開位置Ｂとの略中央の側方に送風経路５４と略平行に配置されており、通常時には開閉部材７１がその自重によって閉位置Ａに位置するようになっている。
【００４５】
支持壁６５、前カバー７０は開閉部材７１を開閉自在に支持案内する案内手段を構成しており、その支持壁６５、前カバー７０には連通口６５ａ、接続口７０ａの上側に枢軸７５廻りの円弧状の案内突条６５ｂ，７０ｂが１本又は複数本形成され、この案内突条６５ｂ，７０ｂを介して開閉部材７１を開閉方向に案内するようになっている。
【００４６】
ソレノイド７２、連動機構７３は送風手段５３の一側で保護壁６７の保持ケース７４内に組み込まれている。ソレノイド７２は保持ケース７４内の上部に収容し固定され、連動機構７３はソレノイド７２の下側で保持ケース７４内に前後方向に配置された連動アーム７６を有する。
【００４７】
連動アーム７６は後端側が横方向の枢軸７７により上下揺動自在に枢支され、中間部にソレノイド７２のプランジャー７８が下側から係合されている。連動アーム７６は前端に凹入状の係合部７６ａを有し、この係合部７６ａに開閉部材７１の係合突起７９が係合している。係合突起７９は枢軸７５よりも開閉部７１ａ側で開閉部材７１に一体に形成されており、支持壁６５を貫通して後方に突出している。
【００４８】
なお、係合突起７９、係合部７６ａは係合手段を構成し、連動アーム７６、開閉部材７１は係合手段を介して連動するようになっている。連動アーム７６に係合突起７９を、開閉部材７１に係合部７６ａを夫々設けてもよい。
【００４９】
連動アーム７６は左右方向に広幅状であって、この連動アーム７６を枢支する枢軸７７は、保護壁６７及び保持ケース７４により両持ち状に支持されている。プランジャー７８は連動アーム７６の中間孔に上下方向に遊嵌状に挿通され、下端の係合部７８ａが連動アーム７６に下側から係合している。
【００５０】
従って、ソレノイド７２が励磁したときには、プランジャー７８が連動アーム７６を引き上げて開閉部材７１を枢軸７５廻りに開位置Ｂへと駆動し、ソレノイド７２が消磁したときには、プランジャー７８、連動アーム７６が下降して開閉部材７１が自重によって閉位置Ａへと下降するようになっている。
【００５１】
支持体５６の前側には、図５、図６、図８に示すように、円筒状の第１送風ダクト８０を有する内カバー８１と、円筒状の第２送風ダクト８９を有し内カバー８１の前側に配置された遮光体８７と、遮光体８７の外周に配置された装飾体８８と、内カバー８１、遮光体８７及び装飾体８８を外側から覆う外カバー８２と、外カバー８２の外周に環状に設けられ且つ内カバー８１及び外カバー８２を押えて支持体５６に固定された環状カバー８３とが設けられており、その内部に第１発光手段８４と第２発光手段８５とが略内外同心状に組み込まれている。第１送風ダクト８０の後端部は前カバー７０の接続口７０ａに挿入されている。
【００５２】
内カバー８１、外カバー８２、装飾体８８は光透過性を有する合成樹脂製である。内カバー８１は前端側内周の発光壁８６と、この発光壁８６を介して中心部に設けられた前後方向の第１送風ダクト８０を有し、発光壁８６の前側に遮光性を有する遮光体８７と、発光壁８６との間で遮光体８７を保持する装飾体８８とが設けられている。
【００５３】
遮光体８７は周方向に複数個の光透過孔８７ａを有し、また中心部には第１送風ダクト８０に接続して前側に突出する第２送風ダクト８９が設けられている。装飾体８８は第２送風ダクト８９の外周に套嵌されており、遮光体８７の光透過孔８７ａを経て後側から照射された光により発光する発光部８８ａを備えている。なお、第１送風ダクト８０と第２送風ダクト８９は一体でもよい。
【００５４】
送風経路５４は、図６に示すように、送風手段５３の吸い込み口６１から第２送風ダクト８９の先端の送風口８９ａとに跨がってファンケース５８、第１送風ダクト８０、第２送風ダクト８９等により形成されており、その送風経路５４中に配置された遠心型ファン５７の出口である排出口６２側に開閉手段５５が設けられている。
【００５５】
外カバー８２は光透過性を有し、内カバー８１、装飾体８８等を覆うようになっている。環状カバー８３は、図５、図６及び図８に示すように、外カバー８２の外周に套嵌された遮光カバー９０と、この遮光カバー９０の裏側に組み込まれた発光カバー９１とを備え、内カバー８１、外カバー８２の後端側を支持体５６の外周支持部６３に前側から固定するようになっている。遮光カバー９０は周方向に複数個の光透過孔９０ａを有し、その光透過孔９０ａに発光カバー９１の一部が入っている。
【００５６】
第１発光手段８４は、図５、図６及び図８に示すように、発光壁８６の後側で第１送風ダクト８０の外周に配置されたリング状の発光基板８４ａと、この発光基板８４ａの前面に装着された発光ダイオード等の発光体８４ｂを有し、第１送風ダクト８０の外周で発光壁８６、装飾体８８に後側から光を照射して発光させるようになっている。
【００５７】
第２発光手段８５は、図５、図６及び図９に示すように、発光カバー９１の後側で胴部６４の外周に配置されたリング状の発光基板８５ａと、この発光基板８５ａの前面に装着された発光ダイオード等の発光体８５ｂを有し、発光カバー９１に後側から光を照射して発光させるようになっている。
【００５８】
開閉手段５５のソレノイド７２、連動アーム７６とは反対側の保護壁６８には、図６に示すように、ファンケース５８の吸い込み口６１側に対応して網目状の通気孔６８ａが形成されており、また、この保護壁６８の外側に、保持ケース９３内に装着された制御基板９４が所定の間隔をおいて配置されている。保持ケース９３は支持体５６の外周支持部６３から後方に突出する突出部９５に裏側からネジ等により固定されている。送風手段５３の駆動モータ６０、開閉手段５５のソレノイド７２、発光手段８４，８５の発光基板８４ａ，８５ａに接続されたハーネスは、支持壁６５、胴部６４に形成された切り欠き部９６から外周支持部６３の内周を経て制御基板９４に接続されている。
【００５９】
図１０は演出制御系を例示する。演出制御系は演出制御手段１００、予告演出抽選手段１０１等を備えている。予告演出抽選手段１０１は予告演出抽選機能を有し、また、演出制御手段１００は画像表示手段２４、スピーカ１１、発光手段８４，８５等による通常の各種演出を制御する通常演出制御機能と、予告演出抽選手段１０１が予告演出を抽選した場合に、その予告演出の抽選結果に基づいて、画像表示手段２４と送風演出手段１２とを組み合わせた予告演出を制御する予告演出制御機能とを有する。
【００６０】
予告演出抽選手段１０１は特別図柄始動手段２６の遊技球の検出に基づいて予告演出の有無、種類等を抽選し決定するようになっている。予告演出には特別図柄表示手段２９の変動後の特別図柄が特別遊技態様となる信頼度の大小等の各種の遊技条件に応じて複数種類の予告演出パターンがあり、予告演出抽選手段１０１は予告演出の実行を抽選したときには、その予告演出パターンの種類も併せて決定するようになっている。
【００６１】
演出制御手段１００は、画像表示手段２４の演出図柄３４ａ〜３４ｃ、背景図柄、操作指示画像３５等による画像を制御する画像演出制御部１０２、スピーカ１１の効果音による効果音演出を制御する効果音演出制御部１０３、送風演出手段１２の送風による送風演出を制御する送風演出制御部１０４、発光手段８４，８５の発光による発光演出を制御する発光演出制御部１０５と、画像演出制御部１０２、送風演出制御部１０３を介して画像表示手段２４、送風演出手段１２による予告演出を制御する予告演出制御部１０６とを有する。
【００６２】
予告演出制御部１０６は予告演出抽選手段１０１から所定の予告演出パターンでの予告演出指令があった場合に、その予告演出指令と同時又はその後の所定のタイミングでチャンスボタン１８を操作可能とし、その予告演出指令、チャンスボタン１８の操作に従って画像演出制御部１０２を介して画像表示手段２４を制御し、送風演出制御部１０４を介して送風演出手段１２を制御するためのものである。
【００６３】
画像演出制御部１０２は予告演出抽選手段１０１からの所定種類の予告演出指令があった場合に、画像表示手段２４に表示される操作指示画像３５を制御するようになっている。この操作指示画像３５はチャンスボタン１８を有効に操作可能な期間を示すものであり、その有効操作期間ＴＡ中は画像表示手段２４に表示されている。
【００６４】
なお、チャンスボタン１８は操作指示画像３５の表示中に複数回操作するようにしてもよいし、１回操作するようにしてもよい。１回操作の場合には、チャンスボタン１８の操作後に操作指示画像３５の表示を終了するようにしてもよい。
【００６５】
送風演出制御部１０４は予告演出抽選手段１０１からの所定種類の予告演出指令があった場合に、少なくともチャンスボタン１８を操作可能な時間中は送風手段５３を運転（作動）させる運転制御機能（作動制御機能）と、送風手段５３の運転（作動）中にチャンスボタン１８の操作があった場合等、所定の送風演出条件が成立した場合に、その送風演出条件の成立を契機に、演出パターン毎に定められた時間だけ開閉部材７１が送風経路５４を開放するように開閉手段５５の開閉を制御する開閉制御機能とを有する。
【００６６】
なお、開閉部材７１の開放による送風演出は、演出パターンが１種類の場合には、チャンスボタン１８の操作から有効操作期間ＴＡの終了まで、又はチャンスボタン１８の操作から有効操作期間ＴＡ内の所定時間（例えば一定時間）までとしてもよいし、演出パターンが複数種類の場合には、開閉手段５５の開放時間の長短、開閉回数等を適宜組み合わせて各演出パターンを構成してもよい。
【００６７】
更にチャンスボタン１８の有効操作期間ＴＡ中にチャンスボタン１８の操作があった場合には、必ず開閉手段５５が開放して所定時間Ｔの送風を実行するようにしてもよい。この場合には、チャンスボタン１８の有効操作時間の終了に関係なく、そのチャンスボタン１８の操作から少なくとも所定時間Ｔは送風手段５３が運転を継続し、その所定時間Ｔの経過後に開閉手段５５が閉じ送風手段５３が停止して送風を終了すればよい。また、送風演出を終了する際には、先ず開閉手段５５が閉じて送風手段５３が停止するか、開閉手段５５の閉鎖と送風手段５３の停止とを略同時にしてもよい。
【００６８】
このパチンコ機１では、図１１、図１２に示すような手順で送風演出による予告演出処理が実行される。先ず特別図柄始動手段２６の遊技球の検出に基づいて予告演出抽選手段１０１により予告演出抽選が実行される（図１１のＳ１）。この予告演出抽選において何等かの予告演出の実行が決定した場合には、その予告演出指令が演出制御手段１００の予告演出制御部１０６に送られる。そして、この予告演出制御部１０６で予告演出当選の有無等が判定され（図１１のＳ２）、予告演出に当選した場合には、予告演出制御部１０６の制御により、特別図柄表示手段２９の特別図柄、画像表示手段２４の演出図柄３４ａ〜３４ｃの変動開始と同時又はその後の所定のタイミングでチャンスボタン１８が操作可能となる。
【００６９】
そして、チャンスボタン１８が操作可能になれば、画像演出制御部１０２の制御により、そのチャンスボタン１８の有効操作期間ＴＡ中、画像表示手段２４の適当箇所に操作指示画像３５が表示される（図１１のＳ３）。一方、送風演出制御部１０４の制御により、図１２（ａ）〜（ｄ）に示すようにチャンスボタン１８の有効操作期間ＴＡ中、送風手段５３の遠心型ファン５７が運転して送風可能な待機状態となる（図１１のＳ４）。
【００７０】
そして、操作指示画像３５の表示期間中に遊技者がチャンスボタン１８を１回又は所定回数操作すれば（図１１のＳ５、Ｓ６）、図１２（ｃ）（ｅ）に示すようにチャンスボタン１８の操作に同期して開閉手段５５が所定の演出パターンで開放して（１１図のＳ７）、送風演出手段１２の送風による送風演出が実行される（図１１のＳ８）。従って、この送風演出により、特別図柄表示手段２９の特別図柄の変動後の遊技状態に期待感を抱かせる等、その後の遊技状態に対する遊技者の興趣を喚起することができる。
【００７１】
なお、開閉手段５５はチャンスボタン１８の操作から時間Ｔ１遅れて開放することが望ましい。この時間Ｔ１は遠心型ファン５７が送風可能な運転状態となるための時間であり、これによって送風演出の安定化を図ることができる。
【００７２】
送風演出手段１２では、通常、送風手段５３は停止し、開閉手段５５が送風経路５４を閉鎖している。そこで、予告演出抽選において送風演出を含む予告演出に当選すると、予告演出制御部１０６から送風演出制御部１０４を経て送風演出手段１２の送風手段５３に運転指令が入る。そして、遠心型ファン５７が運転し、羽根車５９が図５のＸ１方向に回転する。
【００７３】
しかし、この時点では開閉手段５５が送風経路５４を閉鎖しているため、遠心型ファン５７は羽根車５９がＸ１方向に回転する空転状態にある。従って、送風手段５３が運転状態となるものの、遊技者に対して風が送風されることはない。
【００７４】
その後、操作指示画像３５の表示期間中に遊技者がチャンスボタン１８を操作すれば、送風演出制御部１０４の制御により、開閉手段５５のソレノイド７２が励磁してプランジャー７８を介して連動アーム７６を枢軸７７廻りに上昇方向（図７のＸ２方向）に引き上げる。そして、この連動アーム７６の回動に連動して、開閉部材７１が枢軸７５廻りに閉位置Ａから開位置Ｂへと図９のＸ３方向に上昇し、開閉部材７１が送風経路５４を開放する。
【００７５】
この開閉部材７１による送風経路５４の開放と同時に、遠心型ファン５７が羽根車５９の回転により、吸い込み口６１から外気をＸ４方向に吸い込んだ後、送風ダクト８０，８９から排出口６２を経て遊技者側へと送る送風動作を開始する。このため遊技者の顔面側に急激に風が送風されることになり、遊技者はその急激な送風によって送風演出を容易且つ確実に把握することができる。
【００７６】
また、所定の送風演出時間が経過すると、開閉手段５５のソレノイド７２が消磁し連動アーム７６が下降し、開閉部材７１が開位置Ｂから閉位置Ａへと下降して送風経路５４を閉鎖する。そのため送風手段５３が運転中であっても羽根車５９が空転状態になり、開閉部材７１による送風経路５４の閉鎖により急激に送風が終了することになる。そして、その後、送風手段５３が停止する。
【００７７】
従って、開閉部材７１による送風経路５４の開閉により、送風演出手段１２による送風の開始、終了がメリハリのあるものとなり、遊技者は送風演出の開始、終了を容易且つ確実に把握することができる。
【００７８】
また、開閉部材７１の開閉により送風の開始、停止にメリハリが出るため、遊技者は少ない風量でもその事実を容易に把握することができる。そのため大風量の風を送風する場合には、季節等によっては遊技者に対して不快感を与えるような惧れもあるが、そのような問題もない。
【００７９】
更に送風経路５４を開閉する開閉手段５５を設けているので、送風手段５３として動圧の低い遠心型ファン５７を採用することができる。例えば、送風手段５３に軸流型ファンを採用すれば、送風時の騒音が大きいことに併せて動圧が高くなるため、遊技者が送風時に違和感又は不快感を感じることがある。しかし、遠心型ファン５７は送風時の動圧が低いので、そのような違和感又は不快感を防止できる。
【００８０】
また、遠心型ファン５７を採用しただけでは送風時の動圧が低いため、遊技者が送風を把握し難くなるが、開閉手段５５を設けることにより、送風開始・終了の変化を明瞭にでき、それによって遊技者が送風を容易且つ確実に把握することができる。
【００８１】
しかも、開閉手段５５は板状の開閉部材７１を送風経路５４の送風方向に対して略直角方向に出退させる構造であるため、開閉手段５５の送風経路５４の送風方向の寸法を小さくでき、送風演出手段１２の小型化を図ることが可能である。
【００８２】
画像演出制御部１０２は予告演出パターン以外の所定の演出パターンに従って画像表示手段２４に表示される演出図柄３４ａ〜３４ｃ、その他の演出画像を制御し、効果音演出制御部１０３は所定の演出パターンに従ってスピーカ１１から発生する効果音を制御し、また、発光演出制御部１０５は所定の演出パターンに従って発光手段８４，８５の発光体８４ｂ，８５ｂの発光を制御する。
【００８３】
第１発光手段８４の発光体８４ｂが発光した場合には、その光によって発光壁８６がリング状に発光し、また、発光壁８６の前側の装飾体８８を後側から照明する。また、第２発光手段８５の発光体８５ｂが発光した場合には、外カバー８２に形成された周方向の複数箇所の光透過孔８２ｂで内カバー８１が発光する。
【００８４】
なお、この実施形態では、画像表示手段２４に操作指示画像３５の表示中にチャンスボタン１８を操作したときに送風演出手段１２が送風する送風演出により予告演出を行うようにしているが、チャンスボタン１８の操作に関係なく予告演出をするようにしてもよい。
【００８５】
また、予告演出の場合、送風演出手段１２による単独の送風演出で予告するようにしてもよいし、画像表示手段２４に予告画像を表示する画像演出、スピーカ１１が特定の予告音を発する効果音演出、特定部位の発光体が発光する発光演出、発光演出手段による発光演出等、他の演出手段の何れかによる演出と組み合わせて採用してもよい。
【００８６】
更に、送風演出手段１２は予告演出以外の遊技に関連する演出に利用してもよい。送風演出手段１２による送風は、演出時間に十分な余裕がある場合には、１回の連続送風でもよいし、複数回の間欠送風でもよい。複数回の間欠送風による送風演出では、所定回数毎（１回又は複数回毎に）に送風時間及び／又は送風停止時間を変えて送風するようにしてもよい。
【００８７】
図１３は本発明の第２の実施形態を例示する。この実施形態では、ガラス扉８の上部に、羽根車５９の軸心が前後方向となるように、送風手段５３を構成する遠心型ファン５７が扉主体３７の前面側に横向きに配置されている。
【００８８】
遠心型ファン５７は扉主体３７の前面と略平行であり、排出口６２が横向きになっており、その排出口６２に第１送風ダクト８０、第２送風ダクト８９が接続されている。第１送風ダクト８０は前向きに屈曲し、第２送風ダクト８９の先端側が化粧カバー４０の開口５２を経て遊技者側に向いている。そして、第１送風ダクト８０と第２送風ダクト８９との間には、開閉部材７１を有する開閉手段５５が設けられ、その開閉部材７１により送風経路５４の途中を開閉するようになっている。他の構成は第１の実施形態と同様である。
【００８９】
送風手段５３に遠心型ファン５７を使用する場合には、送風時の動圧が低く静圧が高いので、この実施形態に例示するように遠心型ファン５７を扉主体３７と平行に横向きに配置して、第１、第２送風ダクト８０，８９を屈曲状に構成しても十分に送風が可能である。これによって送風演出手段１２の前後方向の寸法を小さくすることができ、前後方向の寸法に十分な余裕がないような場所でも、送風演出手段１２をコンパクトに配置することができる。
【００９０】
図１４は本発明の第３の実施形態を例示する。この実施形態では、チャンスボタン１８の有効操作期間ＴＡ中にチャンスボタン１８の操作があった場合には、必ず開閉手段５５が開放して所定時間Ｔの送風を実行するように構成されている。
【００９１】
例えば、送風演出制御部１０４は、有効操作期間ＴＡ内にチャンスボタン１８の操作があった場合には、その操作に同期して所定時間Ｔだけ開閉手段５５を開状態に制御する開閉制御機能と、チャンスボタン１８の操作からチャンスボタン１８の有効操作期間ＴＡの終了までの時間Ｔ２を所定時間Ｔと比べて時間Ｔ２が所定時間Ｔ未満の場合に、チャンスボタン１８の操作から少なくとも時間Ｔ３、望ましくは所定時間Ｔよりも若干長い時間Ｔ３だけ送風手段５３の運転を継続する運転継続機能とを有する。他の構成は第１の実施形態と同様である。
【００９２】
この実施形態の場合には、図１４（ａ）〜（ｃ）に示すように、有効操作期間ＴＡの終了の直前にチャンスボタン１８を操作した場合でも、図１４（ｄ）に示すように、通常の有効操作期間ＴＡの終了後も送風手段５３が運転を継続するので、有効操作期間ＴＡ内にチャンスボタン１８を操作すれば、図１４（ｅ）に示すように、有効操作期間ＴＡの残り時間の長短に拘わらず、常に所定時間Ｔの送風を確保することができる。
【００９３】
図１５、図１６は本発明の第４の実施形態を例示する。この実施形態では、バタフライ弁式の開閉手段５５が採用されている。第１送風ダクト８０は遠心型ファン５７のファンケース５８の排出口６２側に装着された第１ダクト８０ａと、この第１ダクト８０ａの下流側に接続された第２ダクト８０ｂとを有し、開閉手段５５は第１ダクト８０ａ内に組み込まれている。開閉手段５５は第１ダクト８０ａ内に開閉軸７１ｂにより開閉自在に配置された開閉部材７１と、この開閉部材７１を開閉軸７１ｂ廻りに駆動する駆動源、例えばソレノイド７２とを有する。
【００９４】
開閉部材７１は第１ダクト８０ａの通路形状に対応する形状を有し、第１ダクト８０ａの略中心を通る略直交方向に挿通された開閉軸７１ｂに固定されており、この開閉軸７１ｂ廻りに閉位置Ａと開位置Ｂとの間で略９０度回動して送風経路５４を開閉するようになっている。開閉軸７１ｂには第１ダクト８０ａの外側に連動アーム７６が固定され、この連動アーム７６がソレノイド７２のプランジャー７８に連結されている。他の構成は各実施形態と同様である。
【００９５】
このように開閉手段５５はバタフライ弁式のものでもよい。なお、バタフライ弁式の開閉手段５５の場合には、送風経路５４の経路方向の寸法が長くなるが、開状態のときに開閉部材７１の一部がファンケース５８の排出口６２側に入るようにすれば、送風演出手段１２の全体の大型化を極力防止することも可能である。
【００９６】
図１７、図１８は本発明の第５の実施形態を例示する。この実施形態では、送風手段５３として軸流型ファン１１０を備え、その入口側である吸い込み口６１側に送風経路５４を開閉する開閉手段５５を備えたものである。
【００９７】
軸流型ファン１１０は円筒状のファンケース１１１と、このファンケース１１１内に回転自在に配置されたプロペラ式の回転翼１１２と、この回転翼１１２を駆動する駆動モータ１１３とを備えている。ファンケース１１１は後側に吸い込み口６１を、前側に排出口６２を夫々備え、吸い込み口６１が扉主体３７の通気孔１１４と対向するように扉主体３７の前面に着脱自在に装着されている。回転翼１１２はハブ１１５の外周に周方向に複数枚あり、ハブ１１５を介して駆動モータ１１３の前後方向の駆動軸１１６に固定されている。
【００９８】
駆動モータ１１３はファンケース１１１内の中央部に取り付け台１１７を介して固定され、また、取り付け台１１７は放射状の支持片１１８を介してファンケース１１１に固定されている。ファンケース１１１の前側には送風カバー１１９が装着され、その送風カバー１１９の前端の送風口１１９ａから遊技者側へと送風するようになっている。
【００９９】
送風経路５４はファンケース１１１の吸い込み口６１から送風カバー１１９の送風口１１９ａに跨がって形成されている。開閉手段５５はファンケース１１１の吸い込み口６１側に設けられた支持案内部１２０に沿って上下方向、その他の開閉方向に移動自在な開閉部材７１と、この開閉部材７１を閉位置Ａと開位置Ｂとの間で送風経路５４に対して出退自在に駆動する駆動源、例えばソレノイド７２とを有し、開閉部材７１により軸流型ファン１１０の吸い込み口６１側で送風経路５４を開閉するようになっている。
【０１００】
開閉部材７１は枢軸７５により扉主体３７等の固定部材に枢支されている。ソレノイド７２は扉主体３７等の固定部材に取り付けられており、プランジャー７８が開閉部材７１に連結されている。なお、プランジャー７８と開閉部材７１との間に連動機構７３を設けてもよい。
【０１０１】
このように送風手段５３としてプロペラ式の軸流型ファン１１０を採用する場合には、その軸流型ファン１１０の吸い込み口６１側に開閉手段５５を設けることにより、第１の実施形態と同様に送風の開始と終了とを明瞭にできる。
【０１０２】
即ち、軸流型ファン１１０では開閉手段５５より吸い込み口６１側を閉じた状態で回転翼１１２を回転させても、単に回転翼１１２が空転するだけであって、送風はしない。そして、吸い込み口６１側を開放したときに、急激に送風を開始する。従って、軸流型ファン１１０を運転した状態で開閉手段５５により送風経路５４を開閉することにより、送風の開始、終了を明確に変化させることができる。このため送風演出手段１２用の送風手段５３として軸流型ファン１１０を採用することも十分に可能である。
【０１０３】
また、プロペラ式の軸流型ファン１１０は遠心型ファン５７に比較して送風時の動圧、騒音が大になる傾向にあるが、そのような問題は回転翼１１２の回転数を小さくすることにより容易に解消することができる。
【０１０４】
以上、本発明の各実施形態について詳述したが、本発明はこの各実施形態に限定されるものではなく、本発明の趣旨を逸脱しない範囲で種々の変更が可能である。例えば、各実施形態では、遊技機として弾球遊技機の一つであるパチンコ機１について例示しているが、パチンコ機１以外のアレンジボール機等の弾球遊技機は勿論のこと、スロットマシンを含む各種の遊技機においても同様に実施可能であることは云うまでもない。
【０１０５】
また、実施形態では、予告演出用の送風演出手段１２について例示しているが、予告演出以外の各種の送風演出に利用可能である。更に送風演出手段１２はガラス扉８の上部右側等、遊技機本体の前面側の上部に配置して、遊技者の顔面の近傍に風を送風するようにしているが、遊技者に対する送風位置は顔面以外でもよいし、送風演出手段１２の配置箇所は、遊技者に対する風の送風部位との関係で任意に変更することが可能である。
【０１０６】
例えば、遊技者が遊技機の操作部位を操作する際に、その手に対して風を送風することも可能であり、その場合には手に対して最も効率的に送風できるように操作部位の周辺又はその近傍に送風演出手段１２を設けてもよい。従って、遊技機本体の前面側の上部は送風演出手段１２の配置箇所の単なる一例に過ぎない。
【０１０７】
送風演出手段１２に使用する送風手段５３は、シロッコファン、ターボファン等の遠心型ファン５７でもよいし、プロペラ式の軸流型ファン１１０、斜流型ファン、横流型ファン等でもよい。送風手段５３が２遠心型ファン５７の場合に、その入口側に開閉手段５５を配置してもよい。また送風手段５３は軸流型ファン１１０の場合に、その出口側に開閉手段５５を配置してもよい。
【０１０８】
また、送風時の風量は、開閉手段５５による送風経路５４の開閉による変化を遊技者が容易に把握できる程度であれば十分である。送風経路５４の先端側に、送風口を有する口部材を角度変更可能に備え、遊技者が送風方向を任意に変更できるようにしてもよい。
【０１０９】
送風経路５４は略真っ直ぐでもよいし、屈曲状に構成してもよい。送風経路５４は送風手段５３の種類、配置箇所の周辺状況等を考慮して適宜決定すればよい。開閉手段５５は板状の開閉部材７１を備え、その開閉部材７１を閉位置Ａと開位置Ｂとの間で送風経路５４に対して略直角方向（交差方向）に出退させるのが最も望ましいが、送風経路５４を開閉できる開閉手段５５であれば、その形式、構造、開閉方向等は何れでもよい。また開閉部材７１は送風経路５４に対して横方向、斜め方向に摺動させて出退させるようにしてもよい。
【０１１０】
また実施形態では、常閉式の開閉手段５５を採用して、送風手段５３の送風中に開閉手段５５が開閉することにより、送風演出の開始時及び終了時のメリハリをよくしているが、送風演出の開始時、終了時の何れか一方のメリハリがよくなるように開閉手段５５を開閉させてもよい。
例えば、常閉式の開閉手段５５の場合、送風手段５３の作動開始後に開閉手段５５が開放して、送風手段５３の停止後又は停止と同時に開閉手段５５が閉じるようにすれば、送風演出の開始時点のメリハリが向上する。また常開式の開閉手段５５を採用して、送風手段５３の送風中に開閉手段５５が閉じて送風を終了させるようにすれば、送風演出の終了時点にメリハリを持たせることができる。
【０１１１】
従って、開閉手段５５の開動作、閉動作の内、少なく一方の動作を送風手段５３の送風中に行うようにすれば、その少なく一方の動作によって送風演出のメリハリを確保することができる。
【０１１２】
また開閉手段５５には送風通路を全開する全開位置と全閉する全閉位置との他に半開位置を設けてもよい。更に開閉手段５５の全開状態、全閉状態、半開状態を組み合わせて、脈流的に送風するようにしてもよい。
【０１１３】
送風演出手段１２による送風演出は、喫煙中の遊技者、又はその周辺の遊技者が不快に感じたりする等、トラブル原因になる惧れもあるので、音声、画像、ランプ等による適宜報知手段により、演出開始前に送風演出を行う旨を報知するようにしてもよい。更に遊技機本体の前面等の適当箇所に選択操作手段を設けて、「送風演出・報知なし」と「送風演出・報知あり」と「送風演出なし」との何れかを遊技者が事前に選択できるようにしてもよい。
【符号の説明】
【０１１４】
１２  送風演出手段
５３  送風手段
５４  送風経路
５５  開閉手段
５７  遠心型ファン
６１  吸い込み口（入口）
６２  排出口（出口）
７１  開閉部材
７２  ソレノイド（駆動源）
７５  枢軸
１１０  軸流型ファン
Ａ  閉位置
Ｂ  開位置
【図１】
2015159830.tif 000003
【図２】
2015159830.tif 000004
【図３】
2015159830.tif 000005
【図４】
2015159830.tif 000006
【図５】
2015159830.tif 000007
【図６】
2015159830.tif 000008
【図７】
2015159830.tif 000009
【図８】
2015159830.tif 000010
【図９】
2015159830.tif 000011
【図１０】
2015159830.tif 000012
【図１１】
2015159830.tif 000013
【図１２】
2015159830.tif 000014
【図１３】
2015159830.tif 000015
【図１４】
2015159830.tif 000016
【図１５】
2015159830.tif 000017
【図１６】
2015159830.tif 000018
【図１７】
2015159830.tif 000019
【図１８】
2015159830.tif 000020